【手続補正書】
【提出日】平成18年3月8日(2006.3.8)
【手続補正１】
【補正対象書類名】明細書
【補正対象項目名】００１２
【補正方法】変更
【補正の内容】
【００１２】
オーディオエンコーダ１１５は、供給されたベースバンドのオーディオデータを、ＭＰＥＧ方式で音声圧縮する。音声圧縮されたオーディオエレメンタリデータは、コントローラ１０５からのメモリ書き込みコマンドに従い、上記ビデオデータの処理単位の１ＧＯＰに対応するデータ単位で、オーディオデータメモリ１１８に供給される。
【手続補正２】
【補正対象書類名】明細書
【補正対象項目名】００１３
【補正方法】変更
【補正の内容】
【００１３】
補助データ入力処理部１１６は、供給された補助データを記録する形式のデータに変換する変換処理等を行う。データ変換がされた補助データは、コントローラ１０５からのメモリ書き込みコマンドに従い、上記ビデオデータの処理単位の１ＧＯＰに対応するデータ単位で、補助データメモリ１１９に供給される。
【手続補正３】
【補正対象書類名】明細書
【補正対象項目名】００２６
【補正方法】変更
【補正の内容】
【００２６】
補助データ出力処理部１２７は、再生された補助データを、出力可能なデータ形式に変換する。補助データ出力処理部１２７は、データ形式を変換した補助データを、ビデオ出力端子１２８から出力するベースバンドのビデオデータに同期させて、補助データ出力端子１３０から出力する。
【手続補正４】
【補正対象書類名】明細書
【補正対象項目名】００５１
【補正方法】変更
【補正の内容】
【００５１】
ビデオエンコーダ１４は、供給されたベースバンドのビデオデータを、ＭＰＥＧ−２方式で画像圧縮する。ビデオエンコーダ１４は、圧縮したビデオエレメンタリデータを１ＧＯＰ分転送しないで蓄積しておき、蓄積したビデオエレメンタリデータを、コントローラ６からのメモリ書き込みコマンドに従い、１ＧＯＰ単位でビデオデータメモリ１７に供給する。なお、１ＧＯＰとは、ＭＰＥＧ−２で規定された画像処理単位で、一般にＮＴＳＣでは１５フレームで構成される。
【手続補正５】
【補正対象書類名】明細書
【補正対象項目名】００５３
【補正方法】変更
【補正の内容】
【００５３】
オーディオエンコーダ１５は、供給されたベースバンドのオーディオデータを、ＭＰＥＧ方式で音声圧縮する。オーディオエンコーダ１５は、音声圧縮したオーディオエレメンタリデータを、コントローラ６からのメモリ書き込みコマンドに従い、上記ビデオデータの処理単位の１ＧＯＰに対応するデータ単位で、オーディオデータメモリ１８に供給する。
【手続補正６】
【補正対象書類名】明細書
【補正対象項目名】００５５
【補正方法】変更
【補正の内容】
【００５５】
補助データ入力処理部１６は、供給された補助データを記録する形式のデータに変換する変換処理等を行う。補助データ入力処理部１６は、データ変換した補助データを、コントローラ６からのメモリ書き込みコマンドに従い、上記ビデオデータの処理単位の１ＧＯＰに対応するデータ単位で、補助データメモリ１９に供給する。
【手続補正７】
【補正対象書類名】明細書
【補正対象項目名】００５７
【補正方法】変更
【補正の内容】
【００５７】
ここで、この補助データメモリ１９に供給される補助データには、ヘッダデータが含まれている。補助データ入力処理部１６は、補助データのデータ形式を記録するデータ形式に変換する際に、補助データのデータストリームとは別の、この補助データのヘッダ情報が記述されたストリームを生成する。補助データ入力処理部１６は、このヘッダデータを、ヘッダデータメモリ２０に供給する。なお、ヘッダデータメモリ２０に供給する補助データのヘッダデータは、補助データに含まれている全てのヘッダデータでなく、少なくとも再生時において必要となる情報が含まれていればよい。
【手続補正８】
【補正対象書類名】明細書
【補正対象項目名】００６０
【補正方法】変更
【補正の内容】
【００６０】
ヘッダデータメモリ２０は、供給された各ヘッダデータを１ＧＯＰ単位で格納する。ヘッダデータメモリ２０は、コントローラ６からのメモリ読み出しコマンドに従い、格納しているヘッダデータを１ＧＯＰ単位で記録側インターフェース２１に供給する。ヘッダデータメモリ２０が格納するヘッダデータとしては、再生に必要な、例えば、各ピクチャのＰｉｃｔｕｒｅ Ｓｉｚｅ、ＰｉｃｔｕｒｅＣｏｄｉｎｇ Ｔｙｐｅ、Ｐｒｏｆｉｌｅ、Ｌｅｖｅｌ等の情報や、各オーディオフレームのｆｒａｍｅ Ｓｉｚｅ、サンプリング周波数、エンファシス等の情報や、補助データのＤａｔａ Ｓｉｚｅ、ＩＤ等の情報がある。
【手続補正９】
【補正対象書類名】明細書
【補正対象項目名】００６６
【補正方法】変更
【補正の内容】
【００６６】
また、ヘッダデータメモリ３５にヘッダデータが格納されると、コントローラ６は、ヘッダメモリ３５に格納された全てのヘッダデータを読み出し、そのヘッダデータの解析を行う。そして、コントローラ６は、そのヘッダデータを解析した結果得られるビデオデータの復号及び再生に必要となる情報、例えば、各ピクチャのＰｉｃｔｕｒｅ Ｓｉｚｅ、Ｐｉｃｔｕｒｅ Ｃｏｄｉｎｇ Ｔｙｐｅ、Ｐｒｏｆｉｌｅ、Ｌｅｖｅｌ等の情報を、ビデオデコーダ３６に供給する。また、コントローラ６は、そのヘッダデータを解析した結果得られるオーディオデータの復号に必要となる情報、例えば、各オーディオフレームのｆｒａｍｅ Ｓｉｚｅ、サンプリング周波数、エンファシス等の情報を、オーディオデコーダ３７に供給する。また、コントローラ６は、そのヘッダ情報を解析した結果得られる補助データの変化に必要となる情報、例えば、補助データのＤａｔａ Ｓｉｚｅ、ＩＤ等の情報を、補助データ出力処理部３８に供給する。
【手続補正１０】
【補正対象書類名】明細書
【補正対象項目名】００７２
【補正方法】変更
【補正の内容】
【００７２】
オーディオデコーダ３７は、供給されたオーディオエレメンタリデータをＭＰＥＧ方式で１ＧＯＰ単位で音声伸張する。オーディオデコーダ３７は、音声伸張して生成されたベースバンドのオーディオデータを、ビデオ出力端子３９から出力するベースバンドのビデオデータに同期させて、オーディオ出力端子４０から出力する。このとき、オーディオデコーダ３７は、オーディオデータメモリ３３から供給されたオーディオエレメンタリデータに含まれているヘッダデータの解析をせず、コントローラ６から供給された情報に基づき復号処理を行う。そのため、オーディオデコーダ３７では、ヘッダデータの解析処理を行わなくてよく、復号処理が軽減され、また、復号処理の高速化を図ることができる。
【手続補正１１】
【補正対象書類名】明細書
【補正対象項目名】００７３
【補正方法】変更
【補正の内容】
【００７３】
補助データ出力処理部３８は、再生された補助データを、出力可能なデータ形式に変換する。補助データ出力処理部３８は、データ形式を変換した補助データを、ビデオ出力端子３９から出力するベースバンドのビデオデータに同期させて、補助データ出力端子４１から出力する。このとき、補助データ出力処理部３８は、補助データメモリ３４から供給された補助データに含まれているヘッダデータの解析をせず、コントローラ６から供給された情報に基づき変換処理を行う。そのため、補助データ出力処理部３８では、ヘッダデータの解析処理を行わなくてよく、変換処理が軽減され、また、変換処理の高速化を図ることができる。
【手続補正１２】
【補正対象書類名】明細書
【補正対象項目名】０１１２
【補正方法】変更
【補正の内容】
【０１１２】
AUX_Data_IDは、AUX_Dataの種類を示す８ビットのＩＤである。このAUX_Data_IDでは、ＶＩＴＣ、Ｖｉｄｅｏ Ｉｎｄｅｘ、Ｎｏｎ ＣｏｍｐｒｅｓｓｅｄＬｉｎｅ Ｄａｔａ、Ａｕｄｉｏ Ｃｈａｎｎｅｌ Ｓｔａｔｕｓ ｃｈ１／２、Ａｕｄｉｏ Ｃｈａｎｎｅｌ Ｓｔａｔｕｓ ｃｈ３／４を識別している。AUX_Data_PTS_Fieldは、AUX_Dataの出力タイミングを、レコーディングユニットの先頭からのフィールド数で示した８ビットの情報である。AUX_Data_PTS_Fieldは、このＭＰＥＧ−２データストリームとは別のストリームとして記録されるヘッダデータにのみ記録される。AUX_Data_Crcc_Flagは、AUX_Layer_HeaderのCrccコードが有効であるかを示す１ビットの情報である。Crccが無効である場合には“0”とし、Crccが有効である場合には“1”とする。AUX_32bitAlign_byte_Lengthは、補助データのバイト数を４の倍数にするために付加する２ビットの追加バイトである。AUX_Data_PTSは、補助データのＰＴＳを示す３３ビットの情報である。